(57)【要約】  一般的に、本発明の実施形態は、電子デバイスに対するケーブル接続の検出に関する。装置の実施形態は、第１のプロトコル及び第２のプロトコルに適合し、第１のラインのための第１のピン及び第２のラインのための第２のピンを含む複数のピンを含むケーブル接続のためのポートを含む。装置は、ケーブルに接続したソースデバイスのタイプを判断するプロセッサを更に含み、ソースデバイスのタイプの判断は、装置が第１のライン上で低信号を検出し、かつ第２のライン上で高信号を検出する処理と、第１のライン上で低信号を検出し、かつ第２のライン上で高信号を検出する処理を受けて装置が、第２のライン上に信号シーケンスを送信する処理及び第２のライン上の信号シーケンスを受信しようと試みる処理を含む発見シーケンスを開始する処理とを含む。第２のライン上で信号シーケンスが正常に受信された場合に、装置は、第１のプロトコルに適合するソースデバイスがケーブルに接続されたと判断する。【選択図】図２
2013540373.tif 000002
【特許請求の範囲】
【請求項１】
第１のプロトコル及び第２のプロトコルに適合し、第１のラインのための第１のピン及び第２のラインのための第２のピンを含む複数のピンを含むケーブル接続のためのポートと、
前記ケーブルに接続したソースデバイスのタイプを判断するプロセッサと、
を備えた装置であって、
前記ソースデバイスのタイプの判断は、前記装置が、
前記第１のライン上で低信号を検出し、かつ前記第２のライン上で高信号を検出すること、及び
前記第１のライン上で前記低信号を検出し、かつ前記第２のライン上で前記高信号を検出されると、該第２のライン上に信号シーケンスを送信すること及び該第２のライン上の該信号シーケンスを受信しようと試みることを含む発見シーケンスを開始すること、を含み、
前記第２のライン上で前記信号シーケンスが正常に受信された場合、前記第１のプロトコルに適合するソースデバイスがケーブルに接続されたと判断する、
ことを特徴とする装置。
【請求項２】
前記第１のプロトコルはＭＨＬ（モバイル高精細リンク）であり、前記第２のプロトコルはＨＤＭＩ（高精細マルチメディアインタフェース）であることを特徴とする請求項１に記載の装置。
【請求項３】
前記第１のラインは、ＤＤＣ（表示データチャンネル）通信チャンネルのためのＳＣＬラインであることを特徴とする請求項２に記載の装置。
【請求項４】
前記第２のラインは、ＤＤＣ（表示データチャンネル）通信チャンネルのためのＳＤＡラインであることを特徴とする請求項２に記載の装置。
【請求項５】
前記ケーブルは、前記第１のラインのためのプルダウン抵抗器を含むことを特徴とする請求項１に記載の装置。
【請求項６】
前記信号シーケンスは、擬似ランダム信号シーケンスであることを特徴とする請求項１に記載の装置。
【請求項７】
前記ポートは電力ピンを更に含み、前記第１のプロトコルに適合するデバイスが前記ケーブルに接続されたと判断することを受けて該電力ピン上に電力信号を供給することを特徴とする請求項１に記載の装置。
【請求項８】
第１のプロトコル及び第２のプロトコルに適合し、第１のラインのための第１のピン及び第２のラインのための第２のピンを含む複数のピンを含むケーブル接続のためのポートの該第１のライン上で低信号及び該第２のライン上で高信号を検出する処理と、
前記第１のライン上で前記低信号を検出し、かつ前記第２のライン上で前記高信号を検出する処理を受けて前記ポート上で発見シーケンスを開始する処理とが実行される方法であって、
前記発見シーケンスは、
前記第２のライン上に信号シーケンスを送信する処理、
前記第２のライン上で前記信号シーケンスを受信しようと試みる処理、及び
前記第２のライン上で前記信号シーケンスが正常に受信された場合、前記第１のプロトコルに適合するソースデバイスがケーブルに接続されたと判断する処理、
を含むことを特徴とする方法。
【請求項９】
前記第１のプロトコルはＭＨＬ（モバイル高精細リンク）であり、前記第２のプロトコルはＨＤＭＩ（高精細マルチメディアインタフェース）であることを特徴とする請求項８に記載の方法。
【請求項１０】
前記第１のラインは、ＤＤＣ（表示データチャンネル）通信チャンネルのためのＳＣＬラインであり、前記第２のラインは、該ＤＤＣ通信チャンネルのためのＳＤＡラインであることを特徴とする請求項８に記載の方法。
【請求項１１】
前記ケーブルは、前記第１のラインのためのプルダウン抵抗器を含むことを特徴とする請求項８に記載の方法。
【請求項１２】
前記信号シーケンスを送信する処理は、擬似ランダム信号シーケンスを送信することを含むことを特徴とする請求項８に記載の方法。
【請求項１３】
前記第１のプロトコルに適合するデバイスが前記ケーブルに接続されたと判断する処理を受けて前記ポートの電力ピン上に電力信号を供給することを更に含む請求項９に記載の方法。
【請求項１４】
シンクデバイス及びケーブルを備えたシステムであって、
前記シンクデバイスはケーブル接続のためのポートを含み、前記ポートは、第１のプロトコル及び第２のプロトコルに適合するポートであって、第１のラインのための第１のピン及び第２のラインのための第２のピンを含む複数のピンを含み、さらに、
前記シンクデバイスは、前記ケーブルに接続されるソースデバイスのタイプを判断し、前記ソースデバイスの該タイプの判断には、
前記第１のライン上で低信号及び前記第２のライン上で高信号を検出すること、及び
前記第１のライン上の前記低信号及び前記第２のライン上の前記高信号の検出を受けて、該第２のライン上に信号シーケンスを送信し、該第２のライン上の該信号シーケンスを受信しようと試みることを含む発見シーケンスの開始を含み、
前記ケーブルは複数のピンを有するコネクタを有し、前記複数のピンのうちの第１のピンは前記ポートの第１のピンと接続され、且つ第２のピンは前記ポートの第２のピンと接続され、さらに、前記ケーブルは前記コネクタの第１のピンに結合したプルダウン抵抗器を含み、
前記第２のライン上で前記信号シーケンスが正常に受信された場合、前記シンクデバイスは、前記第１のプロトコルに適合するソースデバイスが前記ケーブルに接続されたと判断する、
ことを特徴とするシステム。
【請求項１５】
前記第１のプロトコルはＭＨＬ（モバイル高精細リンク）であり、前記第２のプロトコルはＨＤＭＩ（高精細マルチメディアインタフェース）であることを特徴とする請求項１５に記載のシステム。
【請求項１６】
前記第１のラインは、ＤＤＣ（表示データチャンネル）通信チャンネルのためのＳＣＬラインであることを特徴とする請求項１６に記載のシステム。
【請求項１７】
前記第２のラインは、ＤＤＣ（表示データチャンネル）通信チャンネルのためのＳＤＡラインであることを特徴とする請求項１６に記載のシステム。
【請求項１８】
前記信号シーケンスは、擬似ランダム信号シーケンスであることを特徴とする請求項１６に記載のシステム。
【請求項１９】
前記ポートは電力ピンを更に含み、前記シンクデバイスは、前記第１のプロトコルに適合するデバイスが前記ケーブルに接続されたと判断することを受けて該電力ピン上に電力信号を供給する請求項１６に記載のシステム。
【発明の詳細な説明】
【技術分野】
【０００１】
〔関連出願〕
本出願は、２０１０年６月３０日出願の米国仮特許出願第６１／３６０，４２５号に関連し、当該出願に対する優先権を請求し、引用によって本明細書に組み入れられている。
【０００２】
本発明の実施形態は、一般的に電子デバイスの分野に関し、より具体的には電子デバイスに関するケーブル接続の検出に関する。
【背景技術】
【０００３】
電子デバイス、特に、モバイルデバイスの能力及び機能が激増したので、そのようなデバイスを互いに接続する場合がある多くの状況が存在する。様々な機能を提供するために、そのようなデバイスは、ケーブルを通じて互いに接続することができる。
【０００４】
例えば、モバイルデバイスは、データを提供するためのデバイスとケーブルを通じて接続することができる。モバイルデバイスは、表示のための高精細ビデオデータのようなデータを含むことができ、従って、モバイルデバイスは、テレビジョン又は他のデバイスにデータをこれらのデバイス上に表示するために接続することができる。
【０００５】
しかし、テレビジョンのようなデバイスに関連する場合がある多くの異なる接続プロトコルが存在し、表示システムに設置される混乱するほど様々なポート及びコネクタがもたらされている。
【０００６】
必要とされるコネクタ数を最小にするために、複数の目的に対してコネクタを利用することができる。しかし、それによってある一定の状況では弊害がもたらされる場合がある。一般的に、ケーブルの反対端に連結されたデバイスのタイプの識別が必要とされ、これは、予想される信号が受信されない場合に問題をもたらす場合がある。接続デバイスの識別が困難である場合には、コネクタに対する複数の異なる目的のためのピン又は接続の使用は、デバイスへの不正信号の印加をもたらす可能性があり、それによってエラーがもたらされる可能性があり、ある一定の状況ではデバイスへの潜在的な損傷が生じる場合がある。
【先行技術文献】
【非特許文献】
【０００７】
【非特許文献１】「高性能シリアルバスに対する規格（Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ）」、１３９４〜１９９５ページ、ＩＥＥＥ、及び相補、１９９６年８月３０日
【発明の概要】
【発明が解決しようとする課題】
【０００８】
一般的に、本発明の実施形態は、電子デバイスに関するケーブル接続の検出に関するものである。
【課題を解決するための手段】
【０００９】
本発明の第１の態様において、装置の実施形態は、第１のプロトコル及び第２のプロトコルに適合し、第１のラインのための第１のピン及び第２のラインのための第２のピンを含む複数のピンを含むケーブル接続のためのポートを含む。装置は、ケーブルに接続したソースデバイスのタイプを判断するプロセッサを更に含み、当該プロセッサによるソースデバイスのタイプの判断は、装置が第１のライン上で低信号を検出し、かつ第２のライン上で高信号を検出する処理と、第１のライン上で低信号を検出し、かつ第２のライン上で高信号を検出する処理を受けて装置が第２のライン上に信号シーケンスを送信すること及び第２のライン上の信号シーケンスを受信しようと試みることを含む発見シーケンスを開始する処理とを含む。第２のライン上で信号シーケンスが正常に受信された場合に、装置は、第１のプロトコルに適合するソースデバイスがケーブルに接続されたと判断する。
【００１０】
本発明の第２の態様において、方法の実施形態は、第１のプロトコル及び第２のプロトコルに適合し、第１のラインのための第１のピン及び第２のラインのための第２のピンを含む複数のピンを含むケーブル接続のためのポートの第１のライン上で低信号を検出し、かつ第２のライン上で高信号を検出する処理を含む。第１のライン上で低信号を検出し、かつ第２のライン上で高信号を検出する処理を受けて本方法は、ポート上で発見シーケンスを開始する処理を更に含み、発見シーケンスは、第２のライン上に信号シーケンスを送信すること、第２のライン上の信号シーケンスを受信しようと試みること、第２のライン上で信号シーケンスが正常に受信された場合に、第１のプロトコルに適合するソースデバイスがケーブルに接続されたと判断することを含む。
【００１１】
本発明の実施形態を添付図面の図に限定としてではなく例として示し、これらの図面では、類似の参照番号が類似の要素を指す。
【図面の簡単な説明】
【００１２】
【図１】デバイス間の可能なケーブル接続の検出を示す一実施形態の図である。
【図２】ケーブル及びシンクデバイスを示す一実施形態の図である。
【図３】ケーブル接続を通じて別のデバイスに接続したデバイスの発見を示す状態図である。
【図４】シンクデバイスに接続したソースデバイスを検出するための処理を示すフローチャートである。
【図５】シンクデバイスに接続したソースデバイスのある一定の状態の検出を示す一実施形態の図である。
【図６】電子デバイスの一実施形態を示す図である。
【発明を実施するための形態】
【００１３】
一般的に、本発明の実施形態は、電子デバイスに関するケーブル接続の検出のためのものである。
【００１４】
或る実施形態では、受信デバイス又はシンクデバイスは、ケーブル接続を通じてシンクデバイスに連結された送信デバイス又はソースデバイスのタイプを識別するように作動する。ケーブルは、複数のプロトコルに対して再使用されるシンクデバイスのポートに接続することができる。或る実施形態では、シンクデバイスは、ソースデバイスが不十分な電力のみを有し、したがって、シンクデバイスを識別するのに通常使用される発見シーケンスのための信号伝達を与えることができない場合であっても、ソースデバイスのタイプを検出することができる。
【００１５】
或る実施形態では、ケーブルは、ライン上にプルダウン抵抗器を含み、この抵抗は接地に繋がれる。或る実施形態では、装置は、ケーブルの接地への抵抗によって低にプルダウンされるライン上にプルアップデバイスを含む。或る実施形態では、ラインを低にプルダウンする処理が、ある一定のタイプの装置の発見を開始する信号を発生させるのに使用される。
【００１６】
或る実施形態では、発見シーケンスを開始する時に、デバイスは、擬似ランダム信号のような既知の信号をライン上に与え、ラインは、第１のプロトコルに対して未接続になり、第２のプロトコルに対して接続済みになる。或る実施形態では、デバイスは、信号がラインから正常に読み取られた場合に、第１のプロトコルに適合する装置が存在すると判断する。
【００１７】
データソースデバイスは、様々なプロトコル利用するのにデータを提供することができる。一例では、デバイスは、ＨＤＭＩ（登録商標）（２００９年５月２８日に出された高精細マルチメディアインタフェース１．４規格）データプロトコル及びＭＨＬ（登録商標）（モバイル高精細リンク）データプロトコルを含むある一定のプロトコルを用いてビデオデータ、特に、高精細ビデオデータを提供することができる。ＭＨＬは、ＨＤＭＩ表示デバイスへのモバイルデバイスの接続を可能にするインタフェースプロトコルである。ＭＨＬは、モバイル側でコネクタをＵＳＢ（ユニバーサルシリアルバス）と共有し、ディスプレイ側でコネクタをＨＤＭＩと共有する。このようにして、モバイルデバイス又は表示デバイスのいずれも、ＭＨＬをサポートするのに付加的な新しいコネクタを必要としない。
【００１８】
しかし、作動時には、表示デバイスには、接続したソースデバイスがＨＤＭＩソースであるか、ＭＨＬソースであるか、又はＭＨＬ／ＨＤＭＩケーブルに間違って接続したＵＳＢデバイスであるかを判断することが必要である。デュアルモードＭＨＬ／ＨＤＭＩ適合シンクのようなデバイスへのソースデバイスの相互接続においては、シンクデバイス側からソースデバイスのタイプを識別する処理は、接続したデバイスのうちの１つから電力を受け取ることができるピン（本明細書ではこのピンを電力ピンと呼ぶ）の状態の理由から重要である。ＭＨＬ作動では、電力は、ＭＨＬシンクデバイスによってＭＨＬソースデバイスに電力ピン上で供給される。ＭＨＬプロトコル要件とは対照的に、ＨＤＭＩ接続では、ＨＤＭＩソースデバイスから、接続したＨＤＭＩシンクデバイスに逆方向に電圧が電力ピン上で供給される。
【００１９】
ＭＨＬシンクデバイスからＭＨＬソースデバイスへの電力信号の供給は、シンクデバイス（表示デバイスである）が、ソースデバイス（一般的に、バッテリ電力で作動しているモバイルデバイス）のバッテリを充電するための電力を供給することを可能にする。
【００２０】
しかし、バッテリが消耗したモバイルデバイスは、ＭＨＬプロトコルに対して与えられる発見シーケンスを開始することができず、正常な発見シーケンスは、その後のＭＨＬ作動に対して必要である。或る実施形態では、シンクデバイスが、放電したソースデバイスを識別することができる場合には、発見シーケンスを続行する必要なくソースユニットを充電することができる。その代わりにシンクデバイスが、電力が常に利用可能であるように設計された場合には、ソースデバイスを識別する必要はなくなる。しかし、この実施は、以下のものを含むある一定の弊害をもたらすことになる。
【００２１】
（１）電力の一定の供給は、表示デバイスの待機電力要件を高める。
【００２２】
（２）シンクデバイス端部におけるＭＨＬコネクタとＨＤＭＩコネクタとの共有に起因して、電力ピン上での電力供給は、表示デバイスが、通常このピン上で電力を供給することになる従来のＨＤＭＩソースデバイスと接続した場合に電力競合をもたらす。
【００２３】
図１は、デバイス間で可能なケーブル接続の検出を示す一実施形態の図である。或る実施形態では、ソースデバイス１０５のようなデータソースデバイスが、ケーブル１１０を通じてデータシンクデバイスに接続される。或る実施形態では、ケーブル１１０は、複数のプロトコルに対して再使用されるポートにおいてコネクタを利用する。例えば、ソースデバイス端部１２５におけるポートは、再使用されるＵＳＢポートであるＭＨＬポートとすることができる。更に、ケーブル１１０のシンク端部にあるポートは、シングルモードＨＤＭＩデバイスであるデバイスＢ１２０のポート１３５のようなＨＤＭＩポート、又はデュアルモードＨＤＭＩ／ＭＨＬデバイスであるデバイスＡ１１５のポート１３０のようなＭＨＬポートとすることができる。（図１は、デバイス１０５をデバイスＡとデバイスＢとに接続されるように示すが、この接続は選択的であるように意図しており、デバイス１０５が両方に同時に接続されることを示すわけでなない。）
【００２４】
この図では、ケーブルがデバイスＡ１１５に接続される場合には、単純にケーブルの接続からは、ソースデバイス１０５がどのタイプのデバイスであるかということは明らかではない。ソースデバイスは、ＨＤＭＩデバイス、ＭＨＬデバイス、又は間違って接続したＵＳＢ接続である場合がある（この場合、ＭＨＬケーブルが、非ＭＨＬデバイスのＵＳＢポートに間違って接続される）。
【００２５】
ソースデバイス１０５に関連するプロトコルは、多くの場合に、デバイスが接続した時に続けるべき発見処理を含むことになる。例えば、ＭＨＬプロトコルは、ＭＨＬシンクデバイスとソースデバイスとの接続のための発見シーケンスを含む。しかし、発見シーケンスは、ＭＨＬモバイルデバイスの作動を必要とし、この作動は、ＭＨＬモバイルデバイスがバッテリ電力で作動し、バッテリが、デバイスを作動するには過度に低いレベルまで放電している場合は可能ではなくなる。或る実施形態では、デバイスＡは、ソースデバイス１０５のデバイスタイプの判断をこのソースデバイスがＭＨＬの発見処理を完了するのに十分な電力を持たない場合に可能にする。或る実施形態では、ソースデバイスがＭＨＬ適合デバイスであることを発見すると、デバイスＡ１１５は、デバイスＡ１１５のバッテリを充電するためにコネクタ１３０のピンに電力を供給する。
【００２６】
図２は、ソースデバイスの検出を示す一実施形態の図である。この図では、ケーブルは、ＨＤＭＩにおけるＤＤＣ（表示データチャンネル）のためのＳＣＬライン（Ｉ2Ｃシリアルクロック）、及びＳＤＡライン（ＤＤＣのためのＩ2Ｃシリアルデータライン）への接続部を含む複数のラインを含む。或る実施形態では、ケーブルは、ケーブル内のＳＣＬピンにおいてプルダウン抵抗器を含む。シンクデバイスでは、ＳＣＬは、ラインに何も接続されない場合に必要とされるプルアップ抵抗器に起因して高に留まることになる。或る実施形態では、ＭＨＬ／ＨＤＭＩケーブルがコネクタに接続されると、ケーブル内の抵抗はＳＣＬをプルダウンし、一方、ＳＤＡには影響を及ぼさない。ＳＤＡは、ＭＨＬ／ＨＤＭＩダイヤルモード受信機に必要とされる補助的な回路によってプルアップされる。
【００２７】
或る実施形態では、（ＳＣＬ＝＝低）かつ（ＳＤＡ＝＝高）と判断された場合には、シンクデバイスは、７５ＫΩ抵抗を通じてＳＤＡラインを低に駆動しようと試みることができる。ＳＤＡを低にプルダウンすることができる場合には、給電されたいずれのＨＤＭＩソースも接続されていないことを検証することができる。或る実施形態では、単にＳＤＡを低に駆動する代わりに、擬似ランダムシーケンスのような信号を用いて、連結されたデバイスの検出の信頼性が改善される。
【００２８】
この図では、ＭＨＬケーブル２００のようなケーブルは、デュアルモードシンク２５０として示すシンクデバイスに接続される。図示するように、ケーブルは、例えば、ＳＣＬ２５５及びＳＤＡ２６０の感知接続部に接続される接続部２０５及び２１０を含む複数の接続部を含む。ＳＣＬピン及びＳＤＡピンは、ＭＨＬ内ではアクティブではない。或る実施形態の場合、ケーブル２００は、図中における接地への３．３ＫΩ抵抗として示すプルダウン抵抗器を含む。
【００２９】
図２に示すように、シンクデバイス２５０は、ＳＣＬ２５５に接続したプルアップデバイス２７０を含み、この抵抗を電源２６５（ＶＣＣ）への必要な４７ＫΩ抵抗として示している。更に、シンクデバイス２５０は、ＳＤＡラインと電源２６５の間に結合された、４７０ＫΩ抵抗として示す抵抗２７５を含み、ＳＤＡライン２６０と接地の間に抵抗２８０（７５ＫΩ抵抗）及びトランジスタデバイス２８５を含む。
【００３０】
ケーブル２００が接続される前には、シンクデバイス２５０は、ＳＣＬ及びＳＤＡにおいて高値を検出することになる。或る実施形態では、ケーブル２００が接続されると、プルダウン抵抗器２１５は、ＳＣＬの電圧を低にプルダウンすることになり、一方、ＳＤＡに対してはいずれの効果も持たない。或る実施形態では、ＳＣＬ＝低かつＳＤＡ＝高の検出が、ＭＨＬデバイスの発見のための処理を開始する。或る実施形態では、次に、シンクデバイスは、擬似ランダムシーケンス（ＰＲＳ）のような信号をＳＤＡラインに与え、ＰＲＳをＳＤＡから読み取ろうと試みる。或る実施形態では、ＳＤＡ上でＰＲＳが検出された場合には、ライン上で他の信号が駆動されていないことが示され、これは、ＨＤＭＩデバイスの場合に発生することになり、従って、接続はＭＨＬデバイスへのものである。
【００３１】
図３は、ケーブル接続を通じて別のデバイスに接続したデバイスの発見を示す状態図である。感知デバイスは、初期、プロトコルデバイス（ＭＨＬ適合デバイス等）への接続が検出されていないことを示す「未接続」３０５と示す状態にある。ＳＣＬ＝低かつＳＤＡ＝高を検出すると３２０、デバイスは、「ソースデバイスとの潜在的な接続」の状態３１０に入ることができる。この状態でシンクデバイスは、ＳＤＡライン上に信号（この図ではＰＲＳ）を送信し始める。
【００３２】
ＳＤＡラインからＰＲＳが正常に読み取られない場合３３０には、デバイスは、「未接続」状態３０５に戻る。ＳＤＡラインからＰＲＳが正常に読み取られた場合３２５には、シンクデバイスは、「ソースデバイスと接続済み」の状態３１５に入る。
【００３３】
接続済み状態にある間には、シンクデバイスは、ＰＲＳをＳＤＡラインに書込み続ける。ＰＲＳが正常に読み取られた場合３４０には、状態は、接続済み３１５として留まる。ＰＲＳが正常に読み取られなかった場合３３５には、デバイスは、「未接続」状態３０５に戻る。
【００３４】
図４は、シンクデバイスに接続したソースデバイスを検出するための処理を示すフローチャートである。図４において、ソースデバイスは、ケーブルを通じてシンクデバイスに接続される４０５。ソースデバイスが、第１のプロトコル（ＭＨＬ等）に対して発見処理及びハンドシェイク処理を完了することができた場合４１０には、通常の発見シーケンスが続く４１５。
【００３５】
或る実施形態では、ソースデバイスが停止状態のバッテリを有する状況のような、通常の発見処理が可能ではない場合には、第１のライン（第１のプロトコルに対しては使用されないが、ＳＣＬのような第２のプロトコルに対して使用される）の電位をケーブルによって与えられる接地への抵抗等によってプルダウンすることができる４２０。
【００３６】
或る実施形態では、シンクデバイスが第１のライン上で低値を検出せず、かつ第２のライン（ＳＤＡ等）上で高値を検出しなかった場合は４２５、ソースデバイスは、第１のプロトコルのデバイスとして検出されず、シンクデバイスによっていずれの電力も電力ピンに印加されない４５５。しかし、シンクデバイスが、第１のピン上で低値を読み取り、かつ第２のピン上で高値を読み取った場合には、シンクデバイスは、第１のプロトコルのデバイスがケーブルに接続されているか否かを判断するために、第２のライン上に擬似ランダムシーケンス（ＰＲＳ）のような信号を送信する処理に進む４３０。
【００３７】
第２のライン上でＰＲＳが検出された場合４３５には、ソースデバイスは、第１のプロトコルのデバイスとして検出され４４０、シンクデバイスは、電力ピン上に電力を供給することができる４４５。しかし、第２のライン上でＰＲＳが検出されない場合には、ソースデバイスは第１のプロトコルのデバイスではなく４５０、シンクデバイス４５５によっていずれの電力も電力ピンに印加されない。
【００３８】
図５は、シンクデバイスに接続したソースデバイスのある一定の状態の検出を示す一実施形態の図である。デュアルモードシンクデバイスは、現在の状況に依存して異なる状態にあるとすることができるある一定のプロトコル（この図ではＨＤＭＩデバイス）を利用してソースデバイスに遭遇することができる。或る実施形態では、シンクデバイスは、状態の各々において、図２に要素２５５及び２６０として示すＳＣＬライン及びＳＤＡラインのような接続ライン上で検出される信号に基づき、ソースデバイスを別のタイプのソースデバイス（ＭＨＬデバイス）から区別する。
【００３９】
図５において、ＨＤＭＩソース５０５は、ＨＤＭＩケーブル５３０を通じてデュアルモードシンクデバイス５４０に接続され、デュアルモードシンクは、複数のプロトコルに適合し、この場合そのようなプロトコルは、ＨＤＭＩ及びＭＨＬである。
【００４０】
第１の状態５１０では、ＨＤＭＩソース５０５は電源に接続され、ＳＣＬライン及びＳＤＡラインからのプルアップ抵抗器を有する。この場合、ＤＤＣ（表示データチャンネル）をアクティブにすることができ、ＳＣＬ及びＳＤＡ上の信号は、高状態から低状態に遷移することができる。或る実施形態では、シンクデバイス５４０は、発見シーケンスを始める前に、ある一定の期間（期間は、Ｉ2Ｃクロック要件に基づく）の間、ＳＣＬが低に留まり、ＳＤＡが高に留まることを要求することができる。或る実施形態では、いずれかの時点間隔の間ＳＣＬ＝低かつＳＤＡ＝高であるか否かに関わらず、ＳＤＡ上での擬似ランダムシーケンスのような信号の送信は、ソースがＭＨＬソースデバイスではないことを判断することになり、これは、そのようなシーケンスがＳＤＡライン上で可読にはならないからである。
【００４１】
第２の状態５１５では、ＨＤＭＩソースデバイス５０５は給電されず、この断電は、接地への高いインピーダンスをもたらす。その結果、ＳＤＡとＳＣＬとの間で相対的な短絡が存在する（低抵抗値のプルアップ抵抗器を通じて）。或る実施形態では、シンクデバイス５４０は、ＳＤＡ及びＳＣＬを両方共に高として検出することになり、したがって、発見シーケンスを開始することはならない。
【００４２】
第３の状態５２０では、電源は断電されるが、漏電条件に起因して、電源への高インピーダンス接続、並びに接地への高インピーダンス接続が出現する。或る実施形態では、一般的に、シンクデバイス５４０は、ＳＤＡ及びＳＣＬを両方共に高として検出することになり、したがって、発見シーケンスを開始することはならない。しかし、値が浮動してＳＣＬが低として出現し、ＳＤＡが高として出現する場合には、検証シーケンスは、ＳＤＡ上で可読にはならず、ＨＤＭＩソースデバイス５０５は、ＭＨＬデバイスとして検出されることにはならない。
【００４３】
第４の状態５２５では、電源は断電されるが、この場合は接地への低インピーダンス／短絡がもたらされる。或る実施形態では、シンクデバイス５４０は、ＳＣＬとＳＤＡの両方を低として検出することになり、したがって、ＨＤＭＩソースデバイス５０５の発見シーケンスを開始することはならない。
【００４４】
図６は電子デバイスの一実施形態を示している。図６では、本説明に密接に関連しない標準で公知の構成要素について示していない。或る実施形態下では、デバイス６００は、データの送信のための相互接続部又はクロスバー６０５又は他の通信手段を含む。データは、例えば、オーディオ−ビジュアルデータ及び関連の制御データを含む様々なタイプのデータを含むことができる。デバイス６００は、情報を処理するために相互接続部６０５に結合した１つ又はそれよりも多くのプロセッサ６１０のような処理手段を含むことができる。プロセッサ６１０は、１つ又はそれよりも多くの物理プロセッサと１つ又はそれよりも多くの論理プロセッサを含むことができる。更に、プロセッサ６１０の各々は、複数のプロセッサコアを含むことができる。簡略化のために、相互接続部６０５を単一の相互接続部として示すが、相互接続部６０５は、複数の異なる相互接続部又はバスを表すことができ、そのような相互接続部への構成要素接続は異なるとすることができる。図６に示す相互接続部６０５は、１つ又はそれよりも多くのいずれかの別々の物理バス、ポイントツーポイント接続部、又は適切なブリッジ、アダプタ、又はコントローラによって接続したこれらの両方を表す抽象表現である。相互接続部６０５は、例えば、システムバス、ＰＣＩバス又はＰＣＩｅバス、ハイパー・トランスポートバス又は工業規格アーキテクチャ（ＩＳＡ）バス、スモールコンピュータシステムインタフェース（ＳＣＳＩ）バス、ＩＩＣ（Ｉ２Ｃ）バス、又は時に「ファイヤワイヤ」と呼ばれる米国電気電子学会（ＩＥＥＥ）規格１３９４バスを含むことができる。（１９９６年８月３０日に出された「高性能シリアルバスに対する規格（Ｓｔａｎｄａｒｄ  ｆｏｒ  ａ  Ｈｉｇｈ  Ｐｅｒｆｏｒｍａｎｃｅ  Ｓｅｒｉａｌ  Ｂｕｓ）」、１３９４〜１９９５ページ、ＩＥＥＥ、及び付録。）
【００４５】
或る実施形態では、デバイス６００は、情報及びプロセッサ６１０によって実行される命令を格納するための主メモリ６１５としてランダムアクセスメモリ（ＲＡＭ）又は他の動的ストレージデバイスを更に含む。主メモリ６１５は、データストリーム又は部分ストリームにおけるデータを格納するために使用することができる。ＲＡＭメモリは、メモリ内容のリフレッシュを必要とするランダムアクセスメモリ（ＤＲＡＭ）と、内容をリフレッシュする処理を必要としないが、高価である静的ランダムアクセスメモリ（ＳＲＡＭ）とを含む。ＤＲＡＭメモリは、信号を制御するためのクロック信号を含む同期動的ランダムアクセスメモリ（ＳＤＲＡＭ）と、拡張データ出力動的ランダムアクセスメモリ（ＥＤＯ  ＤＲＡＭ）とを含む。或る実施形態では、システムのメモリは、レジスタ又は他の専用メモリを含むことができる。デバイス６００は、静的情報及びプロセッサ６１０に対する命令を格納するための読取専用メモリ（ＲＯＭ）又は他の静的ストレージデバイスを含むことができる。デバイス６００は、ある一定の要素の記憶のための１つ又はそれよりも多くの不揮発性メモリ要素６３０を含むことができる。
【００４６】
デバイス６００の相互接続部６０５には、情報及び命令を格納するためのデータストレージ６２０を結合することができる。データストレージ６２０は、磁気ディスク又は他のメモリデバイスを含むことができる。そのような要素は、互いに組み合わせることができ、又は別々の構成要素とすることができ、デバイス６００の他の要素の一部を利用することができる。
【００４７】
デバイス６００は、相互接続部６０５を通じて出力表示又はプレゼンテーションデバイス６４０に結合することができる。或る実施形態では、ディスプレイ６４０は、エンドユーザに対して情報又はコンテンツを表示するための液晶ディスプレイ（ＬＣＤ）又はいずれかの他の表示技術を含むことができる。或る実施形態では、ディスプレイ６４０は、入力デバイスの少なくとも一部分としても利用されるタッチスクリーンを含むことができる。或る実施形態では、ディスプレイ６４０は、テレビジョン番組のオーディオ部分を含むオーディオ情報を提供するためのスピーカのようなオーディオデバイスとすることができ、又はそれを含むことができる。
【００４８】
相互接続部６０５には、１つ又はそれよりも多くの送信機又は受信機６４５を結合することができる。或る実施形態では、デバイス６００は、データの受信又は送信のための１つ又はそれよりも多くのポート６５０を含むことができる。或る実施形態では、デバイス６００は、接続ライン上で検出された信号に基づいて、ポートに接続したソースデバイスのタイプを検出することになる。
【００４９】
更に、デバイス６００は、無線信号を通じたデータの受信のための１つ又はそれよりも多くのアンテナ６５５を含む。デバイス６００は、電源、バッテリ、太陽電池、燃料電池、又は電力を供給するか又は発生させるための他のシステム又はデバイスを含むことができる電力デバイス又は電力システム６６０を含むことができる。電力デバイス又は電力システム６６０によって供給される電力は、必要に応じてデバイス６００の要素に分配することができる。
【００５０】
以上の説明では、本発明の完全な理解をもたらすために、説明の目的で多くの特定の詳細内容を開示した。しかし、これらの特定の詳細内容のうちの一部を用いずに本発明を実施することができることは当業者には明らかであろう。その他としては、公知の構造及びデバイスをブロック図の形態で示している。これらのものは、図示する構成要素の間の中間構造とすることができる。本明細書に説明又は例示する構成要素は、例示又は説明していない付加的な入力又は出力を有することができる。図示する要素又は構成要素は、いずれかのフィールドの順序変更又はフィールドサイズの修正を含む異なる配列又は順序で配置することができる。
【００５１】
本発明は、様々な処理を含むことができる。本発明の処理は、ハードウエア構成要素によって実施することができ、又は命令を用いてプログラムされた汎用又は専用プロセッサ又は論理回路にこれらの処理を実施させるのに使用することができるコンピュータ読み取り可能な命令に具現化することができる。代替的に、処理は、ハードウエアとソフトウエアとの組合せによって実施することができる。
【００５２】
本発明の一部分は、本発明により処理を実施するようにコンピュータ（又は他の電子デバイス）をプログラムするのに使用することができるコンピュータプログラム命令が格納されたコンピュータ読み取り可能な記憶媒体を含むことができるコンピュータプログラム製品として提供することができる。コンピュータ読み取り可能な記憶媒体は、フロッピー（Ｒ）ディスケット、光ディスク、ＣＤ−ＲＯＭ（コンパクトディスク読取専用メモリ）、及び光磁気ディスク、ＲＯＭ（読取専用メモリ）、ＲＡＭ（ランダムアクセスメモリ）、ＥＰＲＯＭ（消去可能プログラム可能読取専用メモリ）ＥＥＰＲＯＭ（電気的に消去可能なプログラム可能読取専用メモリ）、磁気カード又は光カード、フラッシュメモリ、又は電子命令を格納するのに適する他のタイプのメディア／コンピュータ読み取り可能な媒体を含むことができるが、これらに限定されない。更に、本発明は、コンピュータプログラム製品としてダウンロードすることができ、プログラムは、遠隔コンピュータから要求コンピュータに転送することができる。
【００５３】
方法のうちの多くをその最も基本的な形態で説明したが、本発明の基本的な範囲から逸脱することなく、これらの方法のうちのいずれかに処理を追加するか又はこれらから処理を削除することができ、説明したメッセージのうちのいずれかに情報を追加するか又はこれらから情報を低減することができる。多くの更に別の修正及び調整を加えることができることは当業者には明らかであろう。特定的な実施形態は、本発明を限定するためではなく、例示するために提供したものである。
【００５４】
要素「Ａ」が要素「Ｂ」に又は要素「Ｂ」と結合されると示した場合には、要素Ａを要素Ｂに直接結合するか又は例えば要素Ｃを通じて間接的に結合することができる。本明細書において、構成要素、特徴、構造、処理、又は特性Ａが、構成要素、特徴、構造、処理、又は特性Ｂを「もたらす」と示した場合には、これは、「Ａ」が、少なくとも部分的に「Ｂ」の原因であるが、「Ｂ」をもたらすのを補う少なくとも１つの他の構成要素、特徴、構造、処理、又は特性が存在する可能性もあることを意味する。本明細書において、構成要素、特徴、構造、処理、又は特性を含む「場合がある」、「場合があると考えられる」、又は「することができると考えられる」と示した場合には、その特定の構成要素、特徴、構造、処理、又は特性は、含まれることが必要ではない。本明細書において、「ａ」又は「ａｎ」要素に言及した場合には、これは、説明した要素が１つしか存在しないことを意味しない。
【００５５】
実施形態は、本発明の実施又は例である。本明細書における「実施形態」、「一実施形態」、「或る実施形態」、又は「他の実施形態」への参照は、これらの実施形態に関連して説明した特定の特徴、構造、又は特性が、少なくとも或る実施形態に含まれることを意味し、必ずしも全ての実施形態に含まれることを意味しない。「実施形態」、「一実施形態」、又は「或る実施形態」の様々な登場は、必ずしも全てが同じ実施形態を参照しているわけではない。本発明の例示的な実施形態の以上の説明では、開示を効率化し、様々な本発明の態様のうちの１つ又はそれよりも多くの理解を助けるために、本発明の様々な特徴を場合によって単一の実施形態、図、又はこれらの説明の中にまとめ合わせたことを理解すべきである。
【符号の説明】
【００５６】
２００  ＭＨＬケーブル
２０５、２１０  接続部
２１５  プルダウン抵抗器
２５０  デュアルモードシンク
２６５  電源
２７５、２８０  抵抗
【図１】
2013540373.tif 000003
【図２】
2013540373.tif 000004
【図３】
2013540373.tif 000005
【図４】
2013540373.tif 000006
【図５】
2013540373.tif 000007
【図６】
2013540373.tif 000008
【国際調査報告】
2013540373.tif 000009
2013540373.tif 000010